(57)【特許請求の範囲】
【請求項１】
枠に枢着される吊元側の障子及びこの障子に枢着される戸先側の障子の１組の障子と、１組の障子を折畳む場合に、戸先側障子のガイド棒が移動するガイドレールと、折畳まれた１組の障子を吊元側障子の枢着軸を中心に回転させる場合に、ガイド棒をガイドレールから導く溝が設けられたターンテーブルと、前記ターンテーブルの溝を移動する前記ガイド棒に対して、前記枢着軸の回転面の半径方向に働く付勢力を付与する付勢力付与手段と、前記ターンテーブルの溝に連続し、且つ、前記付勢力によりガイド棒が入込む切欠を設けた折戸において、
前記枢着軸が配置されている吊元側障子のたて框に、あおり止片を設けたことを特徴する折戸。
【請求項２】
前記切欠には、前記ガイド棒を係止させる係止孔が設けられていることを特徴とする請求項１に記載の折戸。
【発明の詳細な説明】
【技術分野】
【０００１】
本発明は、折戸を構成する各障子のバタツキ、風によるアオリ等を防ぐことができる折戸に関する。
【背景技術】
【０００２】
従来の折戸は、枠に枢着される吊元側の障子とこの障子に枢着される戸先側の障子からなる１組の障子と、戸先側障子のガイド棒を移動させるガイドレールと、ガイドレールの一端に設けられ、且つ、そのレールに連続するターンテーブルを備えている。
【０００３】
かかる折戸は、各障子が建物の開口部を閉じている状態（以下、閉状態）、吊元側障子の枢着軸を中心にして戸先側障子のガイド棒がガイドレールに沿って移動することで、１組の障子が対面しつつ略９０°まで折り畳まれる状態（以下、半開状態）、さらに吊元側障子が回転することで、戸先側障子のガイド棒がターンテーブルの溝に導かれて、１組の障子が略１８０°まで折り畳まれ、開口部を全開させる状態（以下、全開状態）に変化する。
この全開状態において、前記ターンテーブルの溝の終点に鉛直方向の孔（係止孔）が設けられ、この孔にガイド棒の一端を没入させて、各障子のバタツキを防ぐようになっている。
【０００４】
この場合、前記ガイド棒の一端と前記係止孔の寸法公差により生じるガタツキを解消するために、前記ターンテーブルの溝に連続する係止凹部を設け、その凹部に嵌り込む方向にロッドを移動させるレバーを開示している従来例もある（特許文献１）。
【先行技術文献】
【特許文献】
【０００５】
【特許文献１】実公平３−１９６９号公報
【発明の概要】
【発明が解決しようとする課題】
【０００６】
かかる従来の折戸において、解決されるべき構成上の問題点は、次の通りである。
第１に、全開状態では、各障子の動きが静止しているため、ガイド棒の操作やレバーの操作のし忘れによって、ガイド棒やレバーの機能が発揮されず、風等により各障子が動いたり、半開状態に回転したりして、各障子がバタつくこと、
第２に、無風または弱風時のガイド棒の上げ下げ（開閉）の操作やレバーの操作が煩わしいこと、
第３に、１組の障子は、その吊元側障子の枢着軸を介して、枠等に取付られているため、台風時の強風等による圧力が障子に作用した場合に、アオリを受けて、障子が外れてしまうおそれがあること、である。
【０００７】
そこで、本願発明は、上記各課題を解決することができる折戸を提供することを目的とする。
【課題を解決するための手段】
【０００８】
上記課題を解決するため、第１の発明は、枠に枢着される吊元側の障子及びこの障子に枢着される戸先側の障子の１組の障子と、１組の障子を折畳む場合に、戸先側障子のガイド棒が移動するガイドレールと、折畳まれた１組の障子を吊元側障子の枢着軸を中心に回転させる場合に、ガイド棒をガイドレールから導く溝が設けられたターンテーブルと、前記ターンテーブルの溝を移動する前記ガイド棒に対して、前記枢着軸の回転面の半径方向に働く付勢力を付与する付勢力付与手段と、前記ターンテーブルの溝に連続し、且つ、前記付勢力によりガイド棒が入込む切欠を設けた折戸において、前記付勢力付与手段の付勢力は、付勢力付与手段が各障子に挟まれて発生することを特徴とする。
【０００９】
折戸において、前記ターンテーブルに形成される溝は、通常、折畳まれた１組の障子を吊元側障子の枢着軸を中心に回転させる場合に、前記戸先側障子のガイド棒が描く軌跡に基づいて形成される。
このように軌跡が描く溝（以下、軌跡溝とも称する）は、ガイド棒がガイドレールから前記溝に移行する点（始点）から、折畳まれた１組の障子が略１８０°まで回転する点（終点）までの略円弧状の溝に構成されている。
前記付勢力付与手段は、前記溝を移動する前記ガイド棒に対して、前記枢着軸の回転面の半径方向に働く付勢力を付与することから、前記切欠が溝の終点に設けられている場合、その終点においても付勢力がガイド棒に作用して、ガイド棒が前記溝の終点から切欠に入り込む。
引き続き、前記付勢力が作用されているガイド棒が切欠によって規制されて、１組の障子の動きが規制され、各障子のバタツキを防ぐことができる。
【００１０】
本発明の折戸によれば、１組の障子を全開状態に移行させるだけで、前記付勢力付与手段がガイド棒に対して付勢力を作用させ、ガイド棒が前記溝に設けられている切欠に入り込むので、無風または弱風時のガイド棒やレバーの操作の煩わしさが解消される。
また、前記付勢力付与手段は、居住者の視界の妨げとならないように構成し、位置させることができるので、この点より、前記付勢力付与手段の存在が折戸の外観を損ねることはない。
【００１１】
前記折戸は、典型的には４枚組のものであるが、２枚組のものでよく、特に限定されるものではない。
前記枠は、躯体側に直接固定される場合、サッシ枠と一体化されている場合もある。
前記障子は、典型的には雨戸として機能するものであるが、それ以外を除外するものでもなく、室内側に取付られる障子でもよい。
前記ターンテーブルの溝は、上述のようにガイド棒の軌跡溝であるが、これに限定されることはない。
軌跡溝であれば、その始点から終点に至るまで、略等しい付勢力がガイド棒に作用することになる。前記軌跡溝を変形させることで、ターンテーブルの溝の形状に応じて、前記付勢力付与手段の付勢力に強弱をつけることもできる。
【００１２】
前記付勢力付与手段による付勢力は、ガイド棒に伝達されればよく、前記付勢力付与手段は、各障子に組み込まれる場合に限定されるものではない。
【００１３】
前記付勢力は、前記枢着軸の回転面の半径方向に働くもので、半径の外側方向（半径外方向）でもよく、半径の内側方向（半径内方向）でもよい。
この場合、付勢力が働く方向に対応させて、前記切欠の位置が決定される。
例えば、付勢力が半径外方向に働く場合には、前記切欠は前記溝の外側に形成され、付勢力が半径内方向に働く場合には、前記切欠は前記溝の内側に形成される。
即ち、前記付勢力付与手段は、１組の障子を折り開く方向に力を作用させるものでよいし、１組の障子を折畳む方向に力を作用させるものでもよい。
【００１４】
前記切欠は、ガイド棒が入り込める形状であれば丸形に限定されるものではなく、また、その形成個所は、前記溝の終点に限定されることはなく、その始点から終点までの間の任意の個所でもよい。
【００１５】
上記課題を解決するため、第２の発明は、枠に枢着される吊元側の障子及びこの障子に枢着される戸先側の障子の１組の障子と、１組の障子を折畳む場合に、戸先側障子のガイド棒が移動するガイドレールと、折畳まれた１組の障子を吊元側障子の枢着軸を中心に回転させる場合に、ガイド棒をガイドレールから導く溝が設けられたターンテーブルと、前記ターンテーブルの溝を移動する前記ガイド棒に対して、前記枢着軸の回転面の半径方向に働く付勢力を付与する付勢力付与手段と、前記ターンテーブルの溝に連続し、且つ、前記付勢力によりガイド棒が入込む切欠を設けた折戸において、前記枢着軸が配置されている吊元側障子のたて框に、あおり止片を設けたことを特徴する折戸とした（請求項１の発明）。
【００１６】
全開状態にある１組の障子は、これに対して正圧の風圧のみならず、負圧の風圧を受ける場合があり、その風圧により障子があおられて、撓み、枢着軸が枠が外れてしまうおそれがあった。
ここでは、全開状態にある折戸に対して負圧の風圧が作用した場合には、あおり止め片が枠と係合されることで、吊元側障子の撓みを防ぐことができる。
（請求項１の発明）。
【００１７】
上記発明において、前記切欠には、前記ガイド棒を係止させる係止孔が設けられていることを特徴とする折戸とした（請求項２発明）。
【発明の効果】
【００１８】
第１の発明によれば、折戸の１組の障子を全開状態に移行させるだけで、前記付勢力付与手段がガイド棒に対して付勢力を作用させるので、ガイド棒が前記溝の切欠に入り込み、その後も付勢力をガイド棒に作用させる。
よって、ガイド棒が切欠によって規制されて、各障子のバタツキを抑えることができる。
従って、無風または弱風時のガイド棒やレバーの操作の煩わしさが解消される。
また、前記付勢力付与手段の構成及び配置は、居住者の目ざわりとならない範囲の構成及び位置にさせることができるので、この点より、前記付勢力付与手段の存在が折戸の外観を損ねることはない。
第２の発明によれば、１組の障子に対して負圧が作用した場合には、あおり止め片が枠に当ることで、障子のたわみを防ぐことができる。
【図面の簡単な説明】
【００１９】
【図１】同Ａ及び同Ｂは、本発明に係る折戸の正面図及び要部平面図、
【図２】Ａ〜Ｃは、同折戸の全体的な動作説明図、
【図３】同折戸の縦断面図、
【図４】実施例１に係る折戸の要部横断面図、
【図５Ａ】同折戸の詳細な動作説明図、
【図５Ｂ】同折戸の詳細な動作説明図、
【図５Ｃ】同折戸の詳細な動作説明図、
【図５Ｄ】同折戸の詳細な動作説明図、
【図６】同Ａ及び同Ｂは、実施例２に係る折戸の要部横断面図、
【図７】同Ａ及び同Ｂは、実施例３に係る折戸の要部横断面図、
【図８】同Ａ及び同Ｂは、実施例４に係る折戸の要部横断面図、
【図９】同Ａ及び同Ｂは、実施例５に係る折戸の正面図及び要部平面図である。
【発明を実施するための最良の形態】
【００２０】
本発明に係る折戸１は、図１〜図３に示したように、開閉するスラット１０が組み込まれた４枚組の雨戸のもので、枠１１に枢着される吊元側障子１２とこの障子１２に枢着される戸先側障子１３の２組の障子と、各組の障子を折畳む場合に、戸先側障子１３のたて框１４Ａに配置された上下のガイド棒１５を移動させる上下のガイドレール１６と、折畳まれた各組の障子を吊元側障子１２の枢着軸１７を中心に回転させる場合に、前記ガイド棒１５を前記ガイドレール１６から導く溝２０が設けられた上下のターンテーブル２を備えている。
【００２１】
かかる折戸１は、図２Ａに示したように各障子が建物の開口部Ｏを閉じている閉状態、同図Ｂに示したように戸先側障子１３の前記ガイド棒１５が前記ガイドレール１６に沿って移動することで、１組の障子が対面しつつ、略９０°まで折り畳まれる半開状態、同図２Ｃのように、折り畳まれた１組の障子が前記枢着軸１７を中心に回転することで、戸先側障子１３の前記ガイド棒１５が前記ターンテーブル２の溝２０に導かれて、１組の障子が略１８０°まで折り畳まれ、開口部Ｏを全開させる全開状態に移行させることができる。
【００２２】
この半開状態と全開状態の間で機能する構成は、前記ターンテーブル２の溝２０を移動する前記ガイド棒１５に対して、前記枢着軸１７の回転面１７Ｆの半径外方向Ｘ又は内方向Ｙに働く付勢力を付与する付勢力付与手段３と、前記ターンテーブル２の溝２０に連続し、且つ、前記付勢力によりガイド棒１５が入込む切欠２１である。
【００２３】
また全開状態時に機能する構成は、前記枢着軸１７が配置されている吊元側障子１２のたて框１４に設けられているあおり止片４である。
【００２４】
なお、折戸の各組の各障子はそれぞれ共通に構成されており、また同１組の障子の上下ターンテーブル２及びガイド棒１５も共通に構成されているので、以下の本発明に係る実施例においては、下方のターンテーブル２及びガイド棒１５に代表させて説明する。
【実施例１】
【００２５】
上記折戸１において、前記ターンテーブル２には、図４のように、前記半開状態から折畳まれた１組の障子１２，１３をその吊元側障子１２の枢着軸１７を中心に回転させる場合に、前記戸先側障子１３のガイド棒１５が描く軌跡に沿って形成された溝２０が設けられている。
かかる溝２０は、折畳まれた１組の障子１２，１３が略１８０°まで回転する点（終点２２）までの溝（以下、円弧溝とも称する）に構成され、その終点２２に連続して、略丸形の切欠２１が形成されている。
前記丸形の切欠２１は、その中心が前記枢着軸１７の回転面１７Ｆの半径外方向Ｘに沿って、円弧溝２０の外側に設けられている。
これは、前記溝２０の終点２２及び切欠２１に位置する前記ガイド棒１５に対して、付勢力が前記半径外方向Ｘに働く付勢力付与手段３に対応させたものである。
なお、前記切欠２１の鉛直方向には、ガイド棒１５が係止される係止孔２３が設けられており、１組の障子１２，１３を確実に固定できるようにしている。
また、前記溝２０内にも係止孔２３を設け、全閉状態、半開状態で１組の障子１２、１３を確実に固定することもできる。
【００２６】
前記付勢力付与手段３は、折畳まれる吊元側障子１２に対面する側の前記戸先側障子１３に固定されたブロック状の金具３Ａにより構成されている。
この金具３Ａが固定される位置は、戸先側障子１３のたて框１４Ｂの略中程であって、上下のガイド棒１５，１５に対して、等しく付勢力を作用させることが可能であって、材質を樹脂系のもの等にした場合は、１組の障子１２，１３を折畳んだり、折開く場合の取手に兼用させることができる。
この金具３Ａの固定個数は、１つに限定されるものではなく、必要に応じて複数個でもよい。
例えば、障子１２，１３のサイズに対応させて、２個でもよく、また取付場所は、たて框１４Ｂに限定されるものではなく、上框１８或いは下框１９でもよい。
さらに、戸先側障子１３ではなく、これと対面する吊元側障子１２に固定してもよし、それぞれの障子１２，１３に固定してもよい。
【００２７】
この金具３Ａの材質は、ゴム系のもの、スポンジ系のもの、樹脂系のもの等で、各障子１２，１３に挟まれて弾性変形し、その変形を復元させるような反発力を発生させるものであればよい。
なお、弾性変形が期待できない材質を除外するものではなく、硬質の合成樹脂、金属等でもよい。
【００２８】
前記あおり止め片４は、前記吊元側障子１２の枢着軸１７を収容したたて框１４を構成する形材からなり、全開状態時に前記枠１１に隣接するヒレ片４０と、このヒレ片４０から突設され、前記枠１１に臨む当接片４１からなる。
なお、全開状態時の前記枠１１と前記当接片４１間には、前記吊元側障子１２の回転動作を妨げないためのスペースＳが設けられている（図５Ｃ等参照）。  
【００２９】
以上のように構成される実施例１の折戸１の作用を図５Ａ〜図５Ｄに基づいて説明する。
図５Ａの全閉状態から半開状態に移行した時点で、戸先側障子１３のガイド棒１５の一端が前記ターンテーブル２の円弧溝２０の始点２４に入る（図５Ｂ参照）。
このときに、図５Ｂのように、前記枢着軸１７を中心に回転される、１組の障子１２，１３に対する回転力が、前記ガイド棒１５に伝達されて、ガイド棒１５が円弧溝２０にそって移動する。その際には、前記ブロック金具３Ａが１組の障子１２，１３に挟まれて、弾性変形され、前記ブロック金具３Ａの付勢力により、ガイド棒１５が円弧溝２０に押当てられつつ、移動される。
全開状態に移行時には、図５Ｃのように、ガイド棒１５は円弧溝２０の終点２２に至り、その点２２まで復元力が保持されていたブロック金具３Ａにより、付勢力が作用され、ガイド棒１５が切欠２１に押し込まれる。
切欠２１に入込んだガイド棒１５に対しては、引き続き付勢力が作用して、ガイド棒１５が切欠２１に規制される（図５Ｄ参照）。
【００３０】
この時に、図５Ｄのように、前記吊元側障子１２のヒレ片４０に突設されている当接片４１が枠１１側に臨む位置にあるので、負圧の風圧等が作用した場合には、前記当接片４１が枠１１の部材長手方向に当接して、障子１２のたわみを防ぐことができる。
【００３１】
この全開状態から半開状態に移行させるためには、両障子１２、１３のたて框１４、１４Ａを把持して、それらを対面させる方向に力を加えて、１組の障子１２、１３を回転させればよい。
【００３２】
以上の折戸１によれば、次のように作用効果を生じる
（１）  １組の障子１２、１３を半開状態から全開状態に移行させるだけで、自動的にガイド棒１５が切欠２１に入込むので、ガイド棒１５の開閉操作のし忘れの問題点、無風または弱風等のガイド棒１５の開閉操作の煩雑さを解消できる。
（２）  全開状態において、切欠２１に入込んだガイド棒１５に対しては、引き続き付勢力が作用して、ガイド棒１５が切欠２１に規制されているので、１組の障子１２、１３のバタツキを抑えることができる。
（３）  半開状態から全開状態に移行する間においても、付勢力がガイド棒１５に作用されているので、ガイド棒１５は前記ターンテーブル２の円弧溝２０をガタツクことなく、移動する。
（４）  半開状態から全開状態に移行する間においても、付勢力が１組の障子１２、１３に作用されているので、各障子１２、１３間の一体性が高まり、１組の障子１２、１３の回転動作を円滑に行うことができる。
（５）  付勢力の強弱は、ブロック金具３Ａの高低を取付ネジ等で調整可能となっている。
（６）  ブロック金具３Ａは円筒状の形態であり、たて框等の形態になじみ、その外観に溶け込むことができるので、折戸の外観を損なうことはない。
（７）  ブロック金具３Ａが、１組の障子１２、１３の開閉動作の際の取っ手を兼用する場合にも、折戸の外観を損なうことはない。
【実施例２】
【００３３】
次に、実施例２の構成を図６に基づいて説明する。
実施例２に係る付勢力付与手段３は、図６のように板ばね状部材３Ｂにより構成されている。
その他の構成は、上記実施例１と同様であり、同様な作用効果を奏する。
【実施例３】
【００３４】
次に、実施例３の構成を図７に基づいて説明する。
実施例３に係る付勢力付与手段３は、図７のように板ばね状部材３Ｃであって、一端が障子に接触せず、自由端となっている。
その他の構成は、上記実施例１と同様であり、同様な作用効果を奏する。
【実施例４】
【００３５】
次に、実施例４の構成を図８に基づいて説明する。
実施例４に係る付勢力付与手段３は、図８のように巻きばね状金具３Ｄにより構成されている。
この金具３Ｄは、吊元側障子１２と戸先側金具１３の間の枢着軸１７Ａに一体的に取り付けられており、巻きばね状金具３Ｄの存在が折戸１の外観を損ねることはない。
その他の構成は、上記実施例１と同様であり、同様な作用効果を奏する。
【実施例５】
【００３６】
次に、実施例５の構成を図９に基づいて説明する。
実施例５に係るあおり止片４Ａは、図９のように、ピース材で構成され、且つ、障子１２のたて框１４の中程に取り付けられている。
これは、風圧等により枠１１の部材長手方向で最も撓み易い領域にあおり止片４Ａを配置したもので、コストの低減を図ることができる。
その他の構成は、上記実施例１と同様であり、同様な作用効果を奏する。
【００３７】
本発明は以上説明した実施例に限定されるものではなく、多くの変形が本発明の技術的思想内で当分野において、通常の知識を有する者により可能である。
【符号の説明】
【００３８】
１  折戸                        １０  スラット
１１  枠                        １２  吊元側障子
１３  戸先側障子                １４  １４Ａ  １４Ｂ  たて框
１５  ガイド棒                  １６  ガイドレール
１７  １７Ａ  枢着軸            １８  上框
１９  下框
２  ターンテーブル
２０  溝                        ２１  切欠
２２  終点                      ２３  係止孔
２４  始点
３  ３Ａ〜３Ｄ  付勢力付与手段
４  ４Ａ  あおり止片
４０  ヒレ片                      ４１  当接片
Ｏ  開口部
Ｘ  半径外方向
Ｙ  半径内方向
【図１】
0005876665.tif 000002
【図２】
0005876665.tif 000003
【図３】
0005876665.tif 000004
【図４】
0005876665.tif 000005
【図５Ａ】
0005876665.tif 000006
【図５Ｂ】
0005876665.tif 000007
【図５Ｃ】
0005876665.tif 000008
【図５Ｄ】
0005876665.tif 000009
【図６】
0005876665.tif 000010
【図７】
0005876665.tif 000011
【図８】
0005876665.tif 000012
【図９】
0005876665.tif 000013